(57)【要約】      （修正有）【課題】主食、副食等の複数の被調理物について簡易な調理あるいは食材の温めを行い、併せて汁物（スープ）やコーヒー・茶などを用意するためのお湯（飲用水）を沸かすことが可能な複数品目同時加熱クッカーを提供する。【解決手段】収納された飲用水８を加熱する耐熱材料で形成された第１の開口部を有する外鍋容器１と、第１の開口部から挿入され、収納した第１の被調理物９ｂを湯煎で加熱する高熱伝導材料で形成された第２の開口部を有する内鍋容器２と、少なくとも第２の開口部を覆う内蓋体と、内蓋体４の反内鍋容器側に設置され、第３の開口部を有する第２の被調理物１０を収納した外蓋体とを備えた複数品目同時加熱クッカーにおいて、加熱された飲用水の蒸気により第２の被調理物を加熱すること。【選択図】図１
0003224755.tif 000002
【実用新案登録請求の範囲】
【請求項１】
収納された飲用水を加熱する耐熱材料で形成された第１の開口部を有する外鍋容器と、
前記第１の開口部から挿入され、収納した第１の被調理物を湯煎で加熱する高熱伝導材料で形成された第２の開口部を有する内鍋容器と、
少なくとも前記第２の開口部を覆う内蓋体と、
前記内蓋体の反内鍋容器側に設置され、第３の開口部を有する第２の被調理物を収納した外蓋体と、を備えた複数品目同時加熱クッカーにおいて、
加熱された前記飲用水の蒸気により前記第２の被調理物を加熱することを特徴とする複数品目同時加熱クッカー。
【請求項２】
前記耐熱材料または前記高熱伝導材料が、樹脂、金属、陶磁器および琺瑯からなる群より選択される少なくとも１種であることを特徴とする請求項１に記載の複数品目同時加熱クッカー。
【請求項３】
前記内蓋体に前記蒸気の通過孔を設け、前記第１の開口部、前記通過孔、前記第３の開口部を介して、前記蒸気が流れることを特徴とする請求項１又は請求項２に記載の複数品目同時加熱クッカー。
【請求項４】
前記内鍋容器に前記蒸気が通過する切欠きまたは通過孔を設けたことを特徴とする請求項１乃至請求項３に記載の複数品目同時加熱クッカー。
【請求項５】
前記蒸気が、前記外鍋容器の内壁および前記内鍋容器の外壁の間を流れることを特徴とする請求項１乃至請求項４のいずれかに記載の複数品目同時加熱クッカー。
【考案の詳細な説明】
【技術分野】
【０００１】
本考案は、複数品目同時加熱クッカーに関するものであり、より詳細には、飲用水と、少なくとも二つの被調理物を同時に加熱するクッカーに関するものである。
【背景技術】
【０００２】
山行（登山・ハイキングなど）における食事では、主食（乾燥米飯やフリーズドライ加工パスタ等）、副食（レトルトパウチ食品、缶詰、自家製調理品パック等）について簡易な調理あるいは食材の温めを行い、併せてお湯を沸かして汁物（スープ）やコーヒー・茶などを用意することの利用頻度が高い。従来技術の製品では、以下に記すように、それら複数の被調理物を効率的に加熱することに欠点があった。
【０００３】
山行において野外で調理を行う際には、食材と調理器具と加熱器具が必要である。山行では荷物をザックに入れて背負って運ぶため、食材と調理器具と加熱器具は軽量であることとコンパクトであることが重視される。山行において用いられる調理器具にクッカー（コッヘル）と呼ばれる携行用調理鍋がある。山行用のクッカーの多くは鍋容器と蓋体から構成されており、ガスコンロ（ガスストーブ）などの炎を熱源として鍋容器を加熱して調理を行う。クッカーの多くでは鍋容器だけでなく蓋体も炎にかけることが可能となっている。しかし、主食ならびに副食となる被調理物を双方とも加熱しようとすると、山行においては通常ガスコンロなどの加熱器具を一つしか所持していないため、その一つの加熱器具を用いてそれぞれの被調理物を順番に加熱することが必要になる。併せて汁物やコーヒー・茶などを用意する場合は主食ならびに副食としての被調理物とは別途に鍋容器に水を入れて加熱しお湯を沸かすことが必要になる。このように、鍋容器と蓋体から構成される山行用のクッカーを用いて複数の被調理物の加熱を行い、併せてお湯を沸かそうとすると、それぞれの被調理物と水を順番に加熱する必要によって全体の加熱時間が長くなることが欠点となる。また、加熱時間が長くなるだけ加熱器具の燃料消費が増えることも欠点となる。
【０００４】
携行用調理鍋の中には、外鍋容器、外蓋体、中蓋体（掛子）から構成されるものがある。代表的な例として飯盒があげられる。このような構成の調理鍋では、外鍋容器の収容空間と中蓋体上の収容空間それぞれに被調理物を入れて、炎を熱源として外鍋容器を加熱し、外鍋容器の収容空間の被調理物を加熱するとともに、熱が上方に伝わることで中蓋体上の収容空間の被調理物を加熱する。このような調理鍋には被調理物を収容する空間が二つあるため、外鍋容器の収容空間で主食として炊飯を行い、同時に中蓋体上の収容空間で副食としての被調理物の加熱を行うことが可能であり、調理全体の加熱時間を短縮し燃料消費の節約につながる。ただし、このような構成の調理鍋で同時に加熱できるのは二つの被調理物である。このような構成の調理鍋において、外鍋容器の収容空間で主食となる被調理物を加熱し中蓋体上の収容空間で副食となる被調理物を加熱したときに、併せて汁物やコーヒー・茶などを用意しようとすればお湯は別途に沸かす必要がある。
【０００５】
室内で調理を行う調理鍋に、鍋容器、蓋体、蒸し器から構成される調理鍋がある。蒸し器には多数の孔が開けられているか、網状、簀状の材料が用いられる。このような調理鍋では、鍋容器の収容空間に水を入れて沸騰させ、蒸し器上に被調理物を入れて、鍋容器の収容空間内の水が沸騰して生じた水蒸気が蒸し器の孔を通過して、蒸し器上の収容空間の被調理物を蒸して加熱する。鍋容器の上に複数の蒸し器が重ねられた多段構成の調理鍋を用いれば、水蒸気が上方の複数の蒸し器の収容空間に上がっていくことによって複数の被調理物を同時に加熱することができる。ただし、このような調理鍋では、鍋容器の収容空間は蒸し器へ水蒸気を供給するために水を沸騰させることが目的である。仮に鍋容器の収容空間で主食を調理しようとすれば、鍋容器には主食とする乾燥米飯やフリーズドライ加工パスタ等の調理に求められる適量の水を注入することとなり、加熱の経過に従って主食が水分を吸収するにともない水蒸気の発生は弱まってしまう。また、蒸し器上の収容空間においてレトルトパウチ食品や缶詰などの被調理物を温めたときには鍋容器の収容空間で沸かされたお湯の有効利用が可能となるが、鍋容器の収容空間で乾燥米飯やフリーズドライ加工パスタ等などの主食を調理した場合には汁物やコーヒー・茶などを用意するためのお湯は別途に沸かす必要がある。
【０００６】
また、同時に二つの被調理物を加熱するために考案された従来技術として、下記特許文献１には、クッカーが開示されている。その構成に関して図６を用いて詳述すると、上下二つに区切られた金属製の鍋２１（上の部分３１と下の底の部分３２）、器兼用ブタ２２、無数の穴の空いたすのこ２３、から構成されており、その作用は、鍋２１の上の部分３１に水２６とともにレトルトパウチ食品２５を入れ、鍋２１の上にのせたすのこ２３の上に別の食品（御飯２４）をのせたうえで器兼用ブタ２２をかぶせ、下の底の部分３２に構成された加熱部により鍋２１を加熱する。加熱部の構成は、安全のための不燃性シート３０が敷いてありその上に固形燃料２９をのせて使用する構成であり、周囲には燃焼のための空気穴２７と、固形燃料２９を入れるための穴２８が設けてある。以上の構成によって、鍋２１の上の部分３１の水２６を沸騰させてレトルトパウチ食品２５を温め、同時に水２６の沸騰により生じた蒸気がすのこ２３の上に上がっていくことで、すのこ２３の上におかれた食品（御飯２４）を蒸すことにより、二つの食品を同時に温めるものである。
【先行技術文献】
【特許文献】
【０００７】
【特許文献１】実開昭６０−６３１２６号公報
【考案の概要】
【考案が解決しようとする課題】
【０００８】
従来技術（特許文献１）のクッカーでは、金属製の鍋の上の部分は一つの収容空間であり、水とレトルトパウチ食品を一緒に入れて加熱を行うものである。そのため、加熱対象とする食品はレトルトパウチのように包装が施された被調理物に限定されてしまうという問題点を有していた。なお、鍋の上の部分に、水と非包装の被調理物を入れて加熱することも可能であるが、その場合には鍋の上の部分の水は、被調理物と混交した汁（もしくは食品の茹で汁）になってしまうため、沸騰したお湯はきれいな状態のまま汁物やコーヒー・茶などの用意に供するものとはならないという問題点を有していた。
【０００９】
また、鍋の上には無数の穴の空いたすのこを用いる構造となっており、包装から取り出した主食（乾燥米飯やフリーズドライ加工パスタ等）の加熱を行うことには適していない。すなわち、主食を蒸した際に蒸気が凝結して生じた水が主食の表面に付着して下方に流れてすのこの穴を通って、鍋の上の部分に落ちてしまうことで鍋の上の部分の沸騰させた水をきれいな状態に保つことができないという問題点を有していた。また、無数の穴の空いたすのこを用いる構造のため、粉末状の被調理物はすのこを介して落下するため、すのこ上において粉末状の被調理物を加熱する利用には適していないという問題点を有していた。
【００１０】
本考案は、上記課題に鑑みてなされたものであり、加熱対象とする食品がレトルトパウチのように包装が施された被調理物に限定されることがなく、例えば粉末状の被調理物が加熱可能で、主食、副食等の複数の被調理物について簡易な調理あるいは食材の温めを行い、併せて汁物（スープ）やコーヒー・茶などを用意するためのお湯（飲用水）を沸かすことが可能な複数品目同時加熱クッカーを提供することを目的とする。
【課題を解決するための手段】
【００１１】
本考案者らは、上記課題を解決するべく鋭意検討を行った結果、収納された飲用水を加熱する耐熱材料で形成された第１の開口部を有する外鍋容器と、第１の開口部から挿入され、収納した第１の被調理物を湯煎で加熱する高熱伝導材料で形成された第２の開口部を有する内鍋容器と、少なくとも第２の開口部を覆う内蓋体と、内蓋体の反内鍋容器側に設置され、第３の開口部を有する第２の被調理物を収納した外蓋体と、を備えた複数品目同時加熱クッカーにおいて、加熱された飲用水の蒸気により第２の被調理物を加熱する構成で、あらゆる形態の被調理物を複数同時に、簡易な調理あるいは食材の温めを行い、併せて汁物（スープ）やコーヒー・茶などを用意するためのお湯を沸かすことが可能な複数品目同時加熱クッカーを提供できることを見出し、本考案を完成するに至った。
【００１２】
さらに、耐熱材料または高熱伝導材料が、樹脂、金属、陶磁器および琺瑯からなる群より選択される少なくとも１種であると望ましい。
【００１３】
さらに、内蓋体に蒸気の通過孔を設け、第１の開口部、通過孔、第３の開口部を介して、蒸気が流れると望ましい。
【００１４】
さらに、内鍋容器に蒸気が通過する切欠きまたは通過孔を設けると望ましい。
【００１５】
さらに、蒸気が、外鍋容器の内壁および内鍋容器の外壁の間を流れると望ましい。
【考案の効果】
【００１６】
本考案によれば、あらゆる形態の被調理物を複数同時に、簡易な調理あるいは食材の温めを行い、併せて汁物（スープ）やコーヒー・茶などを用意するためのお湯を沸かすことが可能な複数品目同時加熱クッカーを提供できる利点がある。そのため、複数品目（少なくとも、２つの被調理物とお湯）を同時加熱できるので、加熱調理手順を簡易化でき、時間的効率をアップでき、燃料消費効率をアップできる加熱クッカーを提供できる利点がある。
【図面の簡単な説明】
【００１７】
【図１】実施形態に係る複数品目同時加熱クッカーの構成を示す断面図である。
【図２】実施形態に係る内蓋体を外蓋体が配置される側から見た図である。
【図３】複数品目同時加熱クッカーの構成を示す断面図である。（実施例１）
【図４】複数品目同時加熱クッカーの構成を示す断面図である。（実施例２）
【図５】内蓋体および内鍋容器を外蓋体が配置される側から見た図である。（実施例２）
【図６】従来のクッカーを示す図である。
【考案を実施するための形態】
【００１８】
以下、本考案の実施形態について説明する。本考案の範囲はこれらの説明に拘束されることはなく、以下の例示以外についても、本考案の趣旨を損なわない範囲で適宜変更し実施することができる。
【００１９】
図１は、本考案の複数品目同時加熱クッカーの構成を示す断面図である。外鍋容器１、内鍋容器２、外蓋体３、内蓋体４を備えている。内鍋容器２の開口部（第２の開口部）を内蓋体４のリング状の凸部４ａに嵌め込み、内鍋容器２を位置固定することができる。また、外鍋容器１の開口部（第１の開口部）は、内蓋体４のリング状の凸部４ｂに嵌め込み、外鍋容器１を位置固定することができる。また、外蓋体３の開口部（第３の開口部）も、内蓋体４の凸部４ｂに嵌め込み、外蓋体３を位置固定することができる。以上の構成により、内鍋容器２の底は外鍋容器１の底に接しない構成である。また、内蓋体４の外周部には孔４ｃが貫通している。孔４ｃを介して外鍋容器１の収容空間５と外蓋体３の収容空間７が通じている。なお、外鍋容器１および外蓋体３の位置固定を他の部材を用いて行うことも可能である。その場合、内蓋体４は内鍋容器２の開口部（第２の開口部）を覆うだけでもよいので、凸部４ａより外周部（孔４ｃ、凸部４ｂなど）はなくてもよい。すなわち収容空間５及び収容空間７が、内蓋体４を介さず通じる構成でもよい。
【００２０】
本実施形態の機能を以下に説明する。外鍋容器１には収容空間５が形成されている。外鍋容器１の収容空間５に適量の水（飲用水）８を入れる。内鍋容器２には収容空間６が形成されている。内鍋容器２の収容空間６に適量の水９ａと被調理物９ｂを入れる。内蓋体４の上面と外蓋体３のあいだには収容空間７が形成されている。収容空間７に被調理物１０を配置し、外蓋体３を外鍋容器１にかぶせるように接触させ位置固定する。以上のような構成において、耐熱材料で形成された外鍋容器１を下方からガスコンロ等の炎を熱源として加熱をすると、外鍋容器１の収容空間５内の水８が加熱される。加熱により外鍋容器１の収容空間５の水８が沸騰すると、高熱伝導材料で形成された内鍋容器２を介して収容空間６の水９ａと被調理物９ｂは湯煎で加熱される。さらに、外鍋容器１の収容空間５の水８が沸騰すると、同時に、加熱水蒸気が発生する。加熱水蒸気は上昇して内蓋体４の孔４ｃを通過して外蓋体３の収容空間７に移動し、被調理物１０を加熱する。なお、内蓋体４の中央部には孔４ｄが貫通している。孔４ｄを介して内鍋容器２の収容空間６と外蓋体３の収容空間７が通じている。孔４ｄを貫通させることにより、内鍋容器２の収容空間６が加熱された際に空気が膨張した場合、膨張した空気が外蓋体３の収容空間７へ移動することになり、収容空間６が減圧し、内鍋容器２が内蓋体４から外れることを防止することができる。孔４ｄがない場合、収容空間６が高圧になり、内鍋容器２が内蓋体４から外れる場合があるが、孔４ｄを設けることで、内蓋体４、内鍋容器２の嵌め込み固定状態を安定に維持できる。
【００２１】
なお、耐熱材料としては、好適な耐熱性を有する限りにおいて限定されるわけではないが、例えば樹脂、金属（アルミニウム、鉄、銅、ステンレス、チタンなど）、陶磁器、琺瑯等の少なくともいずれかを含む材料であることが好ましい。なお、本実施形態においてはアルミニウムを採用した。また、高熱伝導材料としては、高い熱伝導率を有する限りにおいて限定されるわけではないが、例えば樹脂、金属（アルミニウム、鉄、銅、ステンレス、チタンなど）、陶磁器、琺瑯等の少なくともいずれかを含む材料であることが好ましい。なお、本実施形態においてはアルミニウムを採用した。
【００２２】
図２は、内蓋体４を外蓋体３が配置される側から見た図である。４ａは内鍋容器２を位置固定するリング状の凸部、４ｂは外鍋容器１および外蓋体３を位置固定するリング状の凸部、４ｃは加熱水蒸気が通過する孔、４ｄは収容空間６と収容空間７との圧力差を無くすための孔である。
【００２３】
なお、凸部４ａは、内鍋容器２を位置固定する限りにおいて限定されるわけではないが、対向する２方向から内鍋容器２を固定する構成、対向する４方向から内鍋容器２を固定する構成、リング状の構成であることが好ましい。なお、本実施形態においては、リング状を採用した。また凸部４ｂも同様に対向する２方向から固定する構成、対向する４方向から固定する構成、リング状の構成であることが好ましい。なお、本実施形態においては、リング状を採用した。
【００２４】
また、円形の孔４ｃが内蓋体４の外周部に等間隔で複数配置されているが、加熱水蒸気を外鍋容器１の収容空間５から外蓋体３の収容空間７へ移動させる限りにおいて限定されるわけではないが、１か所の孔から加熱水蒸気を移動させる構成でもよいし、又２方向から加熱水蒸気を移動させる構成でもよいし、又４方向から加熱水蒸気を移動させる構成でもよいし、被調理物１０の形状などにより孔４ｃの位置を選択できる構成でもよい。また、孔４ｃは等間隔に配置してもよいが、被調理物１０の形状などにより間隔を異ならせて配置してもよい。さらに、孔４ｃの形状は、円、楕円、多角形（三角形、四角形、五角形、六角形）などを採用できる。
【００２５】
また、孔４ｄは、外蓋体３、内蓋体４、内鍋容器２の嵌め込み固定状態が強固ならば無くてもよい。孔４ｄがある場合、被調理物１０の形態（例えば、粉末状の形態）によっては、孔４ｄを避けて被調理物１０を配置する制約が必要となるが、孔４ｄを無くすことで、その制約がなくなり、被調理物１０の配置上の自由度が向上する。
【００２６】
また、内蓋体４の材料としては、各部材を位置固定するために好適な弾性変形特性を有する限りにおいて限定されるわけではないが、シリコンゴム、金属、樹脂が適している。
【００２７】
以上の構成により、被調理物９ｂは、内鍋容器２によって水８から隔離されているので、レトルトパウチのように包装が施された被調理物に限定されることがなく、例えば、粉末状の被調理物、非包装の被調理物を入れて加熱したとしても、沸騰した水８をきれいな状態に保つことができる。また、加熱水蒸気が通過する孔４ｃは、内蓋体４の外周部に配置されているので、内蓋体４の中央に配置された被調理物１０を蒸した際に蒸気が凝結して生じた水が被調理物１０の表面に付着して下方に流れたとしても、孔４ｃを通過することはなく、沸騰した水８をきれいな状態に保つことができる。さらに、被調理物１０を孔４ｃ、孔４ｄを避けて配置すれば、粉末状の被調理物の加熱も可能である。
【００２８】
以上のように、本実施形態に係る複数品目同時加熱クッカーでは、外鍋容器１、内鍋容器２、外蓋体３、内蓋体４を図１の状態に組み合わせ外鍋容器１の下方からガスコンロ等の炎を熱源にして加熱することで、収容空間５内の水を沸騰させ、併せて収容空間６内の被調理物９ｂ、収容空間７内の被調理物１０を同時に加熱することができる。さらに、収容空間５内の水８は、きれいな水（お湯）として飲用ができる。
【実施例】
【００２９】
以下、本考案の実施例を説明する。ただし、本考案の実施例は、本実施例に限定されず、本実施例の用途や形状等を種々変形して実施することが可能である。
【００３０】
図１の複数品目同時加熱クッカーを利用する実施例として、山行において食事をする際に、主食（乾燥米飯やフリーズドライ加工パスタ等）、副食（レトルトパウチ食品、缶詰、自家製調理品パック）について簡易な調理あるいは食材の温めを行い、併せて汁物（スープ）やコーヒー・茶などを用意するためにお湯を沸かすことを同時に行うことができる。一組の複数品目同時加熱クッカーの内部で複数の被調理物ならびに水を加熱することにより、ガスコンロ等の炎の熱を被調理物ならびに水へ効率的に伝達することになる。そのため、加熱調理手順を簡易化でき、時間的効率をアップでき、燃料消費効率をアップできる。
【００３１】
また、山行においては、内鍋容器２の収容空間６に入れる被調理物は、アルファ化米（乾燥米飯）やフリーズドライのパスタや野菜など、適量の水あるいはお湯によって復元して可食になる食品が主な対象となる。一般に、アルファ化米は、水で復元するには約６０分かかり、お湯で復元すれば復元時間が短縮されて約１５分程度になる。従来は、一式の加熱器具を用いてそれぞれの被調理物を順番に加熱する過程の一つとしてアルファ米の復元用にお湯を沸かすか、水で復元するかであり、本考案の複数品目同時加熱クッカーを用いることによって、調理時間を大幅に短縮することができる。
【００３２】
また、内鍋容器２の収容空間６内の適量の水９ａと被調理物９ｂは、外鍋容器１の収容空間５で沸騰した水８の熱が、内鍋容器２を介して熱伝達することで加熱される。そのため、内鍋容器２の収容空間６内の適量の水９ａと被調理物９ｂの温度は、外鍋容器１の収容空間５内の温度（１気圧下において最大摂氏１００度）以上にはならない。そのため、内鍋容器２の収容空間６に水を入れない場合でも、被調理物９ｂは摂氏１００度以上にはならないため、空焼き等の恐れがなく被調理物９ｂを加熱できる。
【００３３】
図３は、実施例１としての複数品目同時加熱クッカーの構成を示す断面図である。図１の複数品目同時加熱クッカーと異なる点は、内鍋容器２と内蓋体４の形状、および加熱水蒸気の上昇経路である。図３における内鍋容器２の形状は、開口部（第２の開口部）付近でラッパ状に広がっている。また内蓋体４の形状は、内鍋容器２のラッパ状に広がった部位に沿うように凹部４ｆを設けている。そして、内鍋容器２の開口部（第２の開口部）付近をラッパ状に広げることによって、内鍋容器２は外鍋容器１の上縁に接触するように位置固定を行う構成である。また、内鍋容器２のラッパ状の部位に切欠き２ｂを設け、内蓋体４には、孔４ｃに代えて長孔４ｅを設けて、切欠き２ｂと長孔４ｅと重なるように配置して、加熱水蒸気の上昇経路を構成する。なお、内蓋体４は、内鍋容器２のラッパ状に広がった部位を除く開口部（第２の開口部）のみを覆う形状でもよい。その場合、長孔４ｅは不要となり、切欠き２ｂのみで加熱水蒸気の上昇経路を構成できるので、内蓋体４の構成が簡単になる。
【００３４】
以上の構成の実施例１においては、図１の複数品目同時加熱クッカーの効果に加えて、凹部４ｆ内に被調理物１０を設ける構成であるため、切欠き２ｂと長孔４ｅとで構成される加熱水蒸気の上昇経路と確実に分離することができる。そのため、加熱水蒸気が通過する孔（切欠き２ｂと長孔４ｅ）から、被調理物１０を蒸した際に蒸気が凝結して生じた水が被調理物１０の表面に付着して下方に流れたとしても、より確実に孔（切欠き２ｂと長孔４ｅ）を通過することはなく、沸騰した水８をきれいな状態に保つことができる。
【００３５】
図４は、実施例２としての複数品目同時加熱クッカーの構成を示す断面図である。図３の複数品目同時加熱クッカーと異なる点は、取っ手１２を設けたことと、取っ手１２が係合する係合部１１を外鍋容器１、内鍋容器２、外蓋体３に設けたことと、取っ手１２の収納固定部を設けたことである。そして、取っ手１２を使用しないときは、内蓋体４に設けた突起４ｇおよび外鍋容器１の係合部１１に設けた突起で構成された収納固定部に、取っ手１２を固定できる構成である。図４は、取っ手１２を収納固定部に固定した状態を示す。取っ手１２を使用するときは、外鍋容器１、内鍋容器２、外蓋体３に設けた係合部１１に、取っ手１２を係合することで、取っ手１２を持ち手として外鍋容器１または内鍋容器２または外蓋体３を保持・移動させることができる。なお、外蓋体３を取り除いた後、切欠き２ｂと長孔４ｅと重なるように配置して形成された加熱水蒸気の通過孔から取っ手１２を挿入して内鍋容器２に設けた係合部１１に係合できる構成である。
【００３６】
以上の構成の実施例２においては、図３の複数品目同時加熱クッカーの効果に加えて、外鍋容器１、内鍋容器２、外蓋体３の保持・移動・分離・組み立てが容易になる。すなわち、複数品目同時加熱クッカーを加熱した場合、各被加熱物（水８、被調理物９ｂ、被調理物１０）および各容器（外鍋容器１、内鍋容器２、外蓋体３）は、高温状態であり手で持つことは困難であるが、各容器に取っ手１２を係合することで、各容器に持ち手を設けることができる。
【００３７】
図５は、実施例２における内蓋体４および内鍋容器２を外蓋体３が配置される側から見た図である。４ｄは収容空間６と収容空間７との圧力差を無くすための孔、４ｅは加熱水蒸気が通過する長孔、４ｇは、取っ手１２を使用しないときに、取っ手１２を収納固定する突起である。２つの突起４ｇで、取っ手１２を挟むことで、取っ手１２は固定される。また、２ｂは加熱水蒸気が通過する切欠きであり、切欠き２ｂと長孔４ｅと重なるように配置して、加熱水蒸気の上昇経路を構成する。１１は取っ手１２が係合する係合部であり、切欠き２ｂを介して取っ手１２が係合部１１に係合される構成である。
【００３８】
なお、長孔４ｅは、加熱水蒸気を通過させる限りにおいて限定されるわけではないが、一つの開口で構成してもよいし、複数の開口で構成してもよいが、加熱水蒸気の流れをスムーズにするために、切欠き２ｂのサイズに対して同等以上のサイズにすることが好ましい。
【００３９】
また、突起４ｇは、取っ手１２を収納固定する限りにおいて限定されるわけではないが、突起で挟み込む構成、磁石等で吸引する構成が好ましい。なお本実施例においては、突起で挟み込む構成を採用した。
【００４０】
また、切欠き２ｂは、加熱水蒸気を通過させる限りにおいて限定されるわけではないが、一つの開口で構成してもよいし、複数の開口で構成してもよい。加熱水蒸気の流れをスムーズにするために、開口面積を大きくすることが望ましく、そのためには複数の開口で構成することが好適である。
【００４１】
また、係合部１１は、取っ手１２を固定できる限りにおいて、他の構成でもよい。例えば、係合部１１の隙間に取っ手１２を差し込み固定する構成に代えて、磁石等で吸着する構成でもよい。
【００４２】
以上のように、本実施例に係る複数品目同時加熱クッカーでは、外鍋容器１、内鍋容器２、外蓋体３、内蓋体４を組み合わせて、外鍋容器１の下方からガスコンロ等の炎を熱源にして加熱することで、収容空間５内の水を沸騰させ、併せて収容空間６内の被調理物９ｂ、収容空間７内の被調理物１０を同時に加熱することができる。さらに、収容空間５内の水８は、きれいな水（お湯）として飲用ができる。
【産業上の利用可能性】
【００４３】
本考案は、飲用水と、複数の被調理物を同時に加熱できる複数品目同時加熱クッカーとして、産業上利用可能である。
【符号の説明】
【００４４】
１  外鍋容器
２  内鍋容器
２ｂ  切欠き
３  外蓋体
４  内蓋体
４ａ  凸部
４ｂ  凸部
４ｃ  孔
４ｄ  孔
４ｅ  長孔
４ｆ  凹部
４ｇ  突起
５  収容空間
６  収容空間
７  収容空間
８  水（飲用水）
９ａ  水
９ｂ  被調理物
１０  被調理物
１１  係合部
１２  取っ手
２１  鍋
２２  器兼用ブタ
２３  すのこ
２４  御飯
２５  レトルトパウチ食品
２６  水
２７  空気穴
２８  穴
２９  固形燃料
３０  不燃性シート
３１  上の部分
３２  下の底の部分
【図１】
0003224755.tif 000003
【図２】
0003224755.tif 000004
【図３】
0003224755.tif 000005
【図４】
0003224755.tif 000006
【図５】
0003224755.tif 000007
【図６】
0003224755.tif 000008